(57)【要約】使い捨ての注射器（１０）は、外側バレル（１１）と、外側バレル内でスライド自在な内側バレル（１２）とを有する。２つのバレルは、それらの間の相対的な動きを防いで、注射器を使用可能な状態とするために、最初のうちは相互にラッチされている。針（１６）は、内側バレルと流体連通状態にあり、外側バレルの第１端部から最初のうちは突出している。内側バレル内のプランジャ（２１）は、外側バレルの他の端部から外方に伸びるプランジャ作動ロッド（２２）に接続されている。プランジャ作動ロッドの第１の押し下げで、リミットキャッチ（２３）は、そのプランジャ作動ロッドの完全な押し下げを防止するが、内側バレルの中に液体を吸い込むのに十分な押し下げを許容する。第２の押し下げで、液体は放出され、プランジャ作動ロッドおよびプランジャは、完全な移動が許容され、それによって、２つのバレルの間のラッチングが外される。それらバレルを使用可能な状態に相互に再ラッチすることはできず、したがって、注射器のさらなる使用が不可能となる。針は、前記第１の使用の後に外側バレルの中に引き込まれ、そこにおいてロックされる。
2004528075.tif 000002
【特許請求の範囲】
【請求項１】
第１と第２の端部を有する外側バレルと、
前記外側バレル内で軸方向にスライド移動自在であって、前記外側バレルの前記第１端部の開口部を通って突出する針を一端で支持するように適合された内側バレルと、を含み、
前記針は前記内側バレルの液体保持チャンバと流体連通状態にあり、
さらに、前記チャンバ内で、前記チャンバ内に液体を吸い込むとともに前記チャンバから前記針を経て液体を放出するように作動自在なプランジャを含み、
前記プランジャは、前記内側バレルの他端および前記外側バレルの第２端部から外方へ伸びている作動ロッドに接続され、
前記外側バレルは、その内壁表面上に第１と第２の間隔をあけられた保持手段を有し、
さらに、前記内側バレルは、前記第１または第２の保持手段と係合するとともに当該内側バレルを前記外側バレルに対する２つの位置のいずれかにラッチするためのラッチ手段を有し、第１の前記位置では前記針が前記外側バレルから突出して使用可能位置にあり、第２の位置では前記針が前記外側バレルの範囲内に完全に引き込まれ、
前記第２の位置の方に向けて前記内側バレルを付勢するための付勢手段を含み、
前記プランジャ作動ロッドは、前記第１の保持手段から前記ラッチ手段を外すために前記プランジャが完全に押し下げられるときに前記ラッチ手段と接触する手段を有し、それによって、前記針は、前記ラッチ手段が前記第２の保持手段と係合して前記第１の保持手段内に再係合することができない前記第２の位置にまで動き、
ここに、前記作動ロッドにはリミットキャッチが備えられ、前記リミットキャッチは、前記プランジャの最初の作動で前記プランジャが完全に押し下げられて前記第１の保持手段から前記ラッチ手段を外すことを防止するが、次のプランジャの押し下げで前記プランジャが前記ラッチ手段を外すのに十分に押し下げられることを許容してなる注射器。
【請求項２】
前記保持手段は、第１と第２のそれぞれの溝を有していることを特徴とする請求項１に記載の注射器。
【請求項３】
前記針は、前記内側バレルの前記一端に接続される針支持用のネック部に取り付けられることを特徴とする請求項２に記載の注射器。
【請求項４】
前記複数の溝は、内壁表面の環状溝であることを特徴とする請求項３に記載の注射器。
【請求項５】
前記針が前記第２の位置に動くときに、前記ラッチ手段は前記第２の溝に永続的に係合されることを特徴とする請求項４に記載の注射器。
【請求項６】
前記プランジャが完全に押し下げられたときに前記ラッチ手段と接触する前記手段は、プランジャ作動ロッドから従属している環状のスカートと、前記ラッチ手段と接触して前記第１の溝から同じものを外すように適合されている前記スカートの縁と、を有することを特徴とする請求項５に記載の注射器。
【請求項７】
前記ラッチ手段は、前記第２端部の方に向かう方向に前記内側バレルの他端から軸方向に伸びる多数のフレキシブルアームを有し、
前記複数のアームは、一つ以上の長いアームおよび一つ以上の短いアームを有し、
一または複数の前記長いアームは、前記内側バレルの前記第２の位置への動きを防止するために前記第１の溝と係合するための突起を有し、
一または複数の前記短いアームは、前記第１の溝に係合することなく当該第１の溝を越えて移動するとともに前記第２の溝に係合して永続的にその第２の溝に係合されることになるように形造られた突起を有し、
一または複数の前記長いアームは、前記プランジャが前記第１の溝から前記突起を取り外すために完全に押し下げられて、それによって、前記内側バレルが前記付勢手段によって前記第２の位置に押し込まれるときに、前記環状のスカートと接触する手段を有することを特徴とする請求項６に記載の注射器。
【請求項８】
前記内側バレルの周りに等間隔に設置された、２つの正反対に向かい合う前記長いアームおよび２つの正反対に向かい合う前記短いアームがあることを特徴とする請求項７に記載の注射器。
【請求項９】
前記スカートは、前記プランジャが完全に下げられたときに、前記第１の溝から前記突起を取り外すために前記複数のアームと係合する、そのスカートのエッジで内方へ向けられた環状の隆起を有していることを特徴とする請求項８に記載の注射器。
【請求項１０】
前記付勢手段は、前記外側バレルと内側バレルとの間に位置するとともに前記外側バレルの第１端部上および前記内側バレルの外面上のフランジ上に支持されている圧縮ばねであることを特徴とする請求項９に記載の注射器。
【請求項１１】
前記リミットキャッチは、前記プランジャ作動ロッドにおける対向する面上に、そのロッドの外方端部で取り付けられるそれぞれ連結された複数のフィンガーを有し、
それぞれのフィンガーは、最初のうちは前記ロッドの軸線と平行にまっすぐな形状で伸び、当該フィンガーのそれぞれ端部で前記ロッドに接続されており、
複数のフィンガーの外形形状は、前記ロッドの最初の作動が、前記外側バレルに向けられたそれぞれのフィンガーの端部に、当該フィンガーの内端部とロッドとの間の接続の断裂を引き起こす前記外側バレルの端部上への重みをかけることを引き起こして、プランジャのさらなる内方への動きを妨げる略直角に曲げられた形状にフィンガーを曲げるようなものであり、
前記フィンガーは、前記直角に曲げられた形状にロックされ、
前記ロッドを引き込むと、前記フィンガーは、フィンガーとロッドの外方端部との間の接続における付勢によって、前記ロッドから回動して離れ、それによって、前記プランジャ作動ロッドのあとに続く作動で、前記複数のフィンガーは、前記ロッドの完全な押し下げを妨げるような外側バレルの端部との係合をしないことを特徴とする先の請求項のいずれか一つに記載の注射器。
【発明の詳細な説明】
【技術分野】
【０００１】
本発明は、注射器、特に、自動引込針を備える使い捨てあるいは再使用できない注射器に関する。
【背景技術】
【０００２】
静脈薬利用者による注射器の再利用に関係する問題だけでなく、使用された注射器からの針穿刺に起因する一般大衆および医療スタッフに対する危険も、よく実証されている。先行する多くの試みは、使い捨てが可能な注射器や、そのような使用の後に自己破壊したり針穿刺に対する防護を備えていたりする注射器の提供を行っている。そのような注射器は、例えば、米国特許５，２６７，９７６号に開示されている。一般的に言って、先行技術のデバイスは、製作するにはあまりに高価であり、信頼できず、容易にむやみに変更され、あるいは、注射器のさらなる使用をできないようにすることを確実にするためには、最初の使用の後にいくつかの積極的な動作をしている利用者に依存するという点において、一つ以上の不利な点を被っている。上述した米国特許５，２６７，９７６号に開示されるような自動引込針を備える先行技術のデバイスにおいては、また、注射器内に薬剤を吸い込むことに備えて、プランジャが当該プランジャのパッケージされた位置から動かされるようなときに、針の早すぎる引込が生じる虞もある。
【発明の開示】
【０００３】
したがって、本発明の目的は、上述した不利な点および周知のデバイスの他の不利な点を解決する自己引込針を備えた使い捨ての注射器を提供することにある。
【０００４】
本発明は、第１と第２の端部を有する外側バレルと、
前記外側バレル内で軸方向にスライド移動自在であって、前記外側バレルの前記第１端部の開口部を通って突出する針を一端で支持するように適合された内側バレルと、を含み、
前記針は前記内側バレルの液体保持チャンバと流体連通状態にあり、
さらに、前記チャンバ内で、前記チャンバ内に液体を吸い込むとともに前記チャンバから前記針を経て液体を放出するように作動自在なプランジャを含み、
前記プランジャは、前記内側バレルの他端および前記外側バレルの第２端部から外方へ伸びている作動ロッドに接続され、
前記外側バレルは、その内壁表面上に第１と第２の間隔をあけられた保持手段を有し、
さらに、前記内側バレルは、前記第１または第２の保持手段と係合するとともに当該内側バレルを前記外側バレルに対する２つの位置のいずれかにラッチするためのラッチ手段を有し、第１の前記位置では前記針が前記外側バレルから突出して使用可能位置にあり、第２の位置では前記針が前記外側バレルの範囲内に完全に引き込まれ、
前記第２の位置の方に向けて前記内側バレルを付勢するための付勢手段を含み、
前記プランジャ作動ロッドは、前記第１の保持手段から前記ラッチ手段を外すために前記プランジャが完全に押し下げられるときに前記ラッチ手段と接触する手段を有し、それによって、前記針は、前記ラッチ手段が前記第２の保持手段と係合して前記第１の保持手段内に再係合することができない前記第２の位置にまで動き、
ここに、前記作動ロッドにはリミットキャッチが備えられ、前記リミットキャッチは、前記プランジャの最初の作動で前記プランジャが完全に押し下げられて前記第１の保持手段から前記ラッチ手段を外すことを防止するが、次のプランジャの押し下げで前記プランジャが前記ラッチ手段を外すのに十分に押し下げられることを許容してなる注射器を提供する。
【０００５】
本発明をより容易に理解することができるようにするため、次に、一の詳細な実施形態が添付図面を参照して記載されるであろう。
【０００６】
図１は、本発明の一実施形態に係る注射器の、初期位置の状態を示す側断面図であり、
図１（ａ）は、図１の円「Ａ」で示される部分の拡大であり、
図２は、図１と同様であるが、動作の第１ステージにおける注射器を示しており、
図２（ａ）は、図２の円「Ｂ」で示される部分の拡大であり、
図３は、図１および図２と同様であるが、動作の第２ステージにおける注射器を示しており、
図４は、図１〜３と同様であるが、動作の第３ステージにおける注射器を示しており、
図４（ａ）は、図４の円「Ｃ」で示される部分の拡大であり、
図５は、図１〜４と同様であるが、動作の第４ステージにおける注射器を示しており、
図５（ａ）は、図５の円「Ｄ」で示される部分の拡大であり、
図６は、図１〜５の注射器の分解斜視図であり、
図７は、図１と同様の図であり、本発明の別の実施形態の初期位置の状態を示し、
図７（ａ）は、図７の円「Ｅ」で示される部分の拡大であり、
図８は、図７と同様の図であるが、動作の第１ステージにおける注射器を示しており、
図８（ａ）は、図８の円「Ｆ」で示される部分の拡大であり、
図９は、図７および図８と同様の図であるが、動作の第４ステージにおける注射器を示しており、
図９（ａ）は、図９の円「Ｇ」で示される部分の拡大であり、
図１０は、図７〜９と同様の図であるが、動作の第５ステージにおける注射器を示しており、
図１０（ａ）は、図１０の円「Ｈ」で示される部分の拡大であり、
図１１は、図７〜１０までの注射器の分解斜視図であり、
図１２は、具体的ないずれの実施形態にも示される注射器の側面図であり、
図１３は、図１２と同様であるが、軸線について９０度回転した注射器を示し、および、
図１４は、説明した複数の実施形態に用いられる変更されたフレキシブルアームの部分の拡大断面図である。
【０００７】
全図にわたって、同類または同様の部分は、同じ参照番号を付してある。
【０００８】
注射器１０は、外側バレル１１を有し、当該外側バレルは、それぞれの端部での開口部を除いては、口径がまったく自由な円筒状バレルである。内側バレル１２は、外側バレル１１内で長手ないし軸線方向に前後にスライドして外側バレルと係合するように、外側バレル１１内に嵌め込んで取り付けられている。内側バレル１２は、一端に狭いネック部１３を有し、反対の端部１４で開口されている。ネック部１３は、針１６を組み込んだ針ハウジング１５を収容するように適合されている。明らかに、針１６は、内側バレル１２内のチャンバ１７と流体連通状態にある。ネック部１３に取り付けられると、針ハウジング１５および針１６は、外側バレル１１の第１端部１８から突出する。
【０００９】
スプリング２０は、外側バレル１１の第１端部１８の内側に位置し、外側バレル１１の第２端部１９の方へ向けて内側バレル１２を付勢するために当該内側バレル１２上に作用する。
【００１０】
プランジャ２１は、内側バレル１２内に位置し、プランジャ作動ロッド２２の一端に取り付けられている。プランジャ作動ロッド２２は、外側バレルの第２端部１９および内側バレルの開口端部１４に入っている。プランジャロッド２２の外方端部は、後述するリミットキャッチ２３を備えている。外側バレルの第２端部１９でのフランジ２４は、注射器の動作を容易なものにする。端部フランジ３４は、プランジャ作動ロッド２２の動作を容易なものにする。
【００１１】
外側バレルは、その内表面に、第１および第２の環状溝２５および２６をそれぞれ備えている。溝２５および２６の目的は、以下に明瞭になるであろう。
【００１２】
上記の説明は、図７〜１１の実施形態と同様、図１〜６の実施形態に係る注射器の主な構成部品を記載している。第１の実施形態において、内側バレル１２は、開口端部１４で、一対の正反対に向かい合う縦方向のスリット２７（図６を参照のこと）を有している。当該スリット２７は、一対の向かい合うフレキシブルアーム２８を定めている。複数のフレキシブルアーム２８は、それらアームの末端周辺で拡がって、環状溝２５および２６のどちらか一方に係合するリップ２９を有している。複数のスリット２７は、溝２５および２６のどちらか一方からリップ２９の係合を外すために、複数のフレキシブルアーム２８が互いの方へ僅かに動くことを許可している。内側バレル、特に、複数のフレキシブルアーム２８の形状は、図６にさらに明らかである。以下に明瞭になるように、プランジャ作動ロッド２２は、環状のスカート３０を有し、当該環状スカートは、それぞれの溝２５および２６からリップ２９を取り外すために、それぞれのアーム２８に係合するテーパエッジを備えている。
【００１３】
図７〜１１の実施形態においては、複数のフレキシブルアーム２８は、構造上において狭くなっており（図１１を参照）、本質的に内側バレル１２の開口端部１４から伸びる一対の向かい合うフィンガーを有している。複数のフレキシブルアームつまりフィンガー２８もまた、環状溝２５、２６のどちらか一方に係合するリップ２９を有している。さらに、複数のアーム２８は、外側バレル１１の第２端部１９の方に向けて伸びる複数のラッチ部材３１を有している。作動ロッド２２は、先の実施形態のスカート３０と同様の環状のスカート３２を備えているが、スカートの末端周辺で伸びる、内方に向けられた隆起３３を有している。その他の点で、図７〜１１の実施形態における注射器の構造は、先の実施形態でのものと同じである。
【００１４】
上述したように、プランジャ作動ロッド２２の外方端部は、リミットキャッチ２３を組み込んでいる。本質的に、リミットキャッチは、プランジャ作動ロッド２２およびそれゆえにプランジャ２１が、注射器の最初ないし第１の操作で内側バレル１２の前方あるいは針端部の末端にまで移動することを防いでいる。最初のときにプランジャ作動ロッド２２が注射器の針端部の方に向けて内方へ押し込まれると、リミットキャッチは、その構造ないし構成を変化させる。これによって、プランジャ作動ロッドの次の押し下げで、プランジャは、内側バレル内において、当該プランジャの動きの最大の末端にまで前方に向けて動くことが可能である。
【００１５】
より詳しくは、プランジャロッド２２の最初の押し下げで、リミットキャッチ２３のフィンガー３６は、外側バレル１１の端部１９と係合し、図１に示される位置から図２に示される位置までピボットないし回動する。それによって、プランジャのさらなる動き（押し下げ）が妨げられる。このピボットないし回動は、それぞれのフィンガーの端部間のフレキシブルジョイントによって容易になされる。それから、複数のフィンガー３６は、この回動した位置にロックされる。複数のフィンガー３６のこの回動は、薄いメンブレン３８（図２（ａ）を参照）を切断する。そのメンブレンは、最初のうちはリミットキャッチ２３の複数のアーム３７をロッド２２の本体上で内方に向けて保持している。その結果として、プランジャロッド２２を引っ込めると、アーム３７は、外方に向けて跳ね返り、図３に示される位置まで拡がる。そこでは、舌状のものないし突縁と溝３９とが、複数のアーム３７を新規な位置にロックしている。ロッド２２の次の押し下げで、複数のフィンガーは、外側バレル１１の端部と係合することに失敗し、それゆえに、プランジャの延長された押し下げ（内側バレル１２の端部まで）が容易になされる。
【００１６】
注射器の動作は、次の通りである。注射器は、針ハウジング１５および針１６を含まない密封パッケージの形に製作された後に、包装されないしパッケージに入れられる。注射器は、内側バレルおよびプランジャが実質的に図１および図７にそれぞれ示されるような位置にある状態となっている。利用者は、パッケージから注射器を取り出し、内側バレル１２のネック部１３上に、針１６が付属された針ハウジング１５を取り付ける。それから、プランジャ作動ロッド２２は、第１と第２の指（人指し指と中指）の間で外側バレル１１を保持している間に、端部フランジ３４上に親指圧力を適用することによって、当該作動ロッド２２が内側バレル１２の中に完全に押し下げられてリミットキャッチ２３がさらなる動きを妨げるまで、押し下げられる。この位置においては、プランジャ２１は、ほとんど、内側バレルのネック部１３のところにあり、非常に小さなチャンバだけが、プランジャ２１とネック部１３との間の内側バレル内に存在することになる。この時点で、外側バレル１１に対する内側バレル１２の動きは、外側バレルの環状溝２５内に係合しているリップ２９によって防止されていることに留意する必要がある（図１（ａ）および７（ａ）のそれぞれを参照）。一旦この最初の作動が起こると、注射器は図２および図８のそれぞれに示される状態となる。以下に明らかになるように、リミットキャッチの目的は、プランジャ作動ロッドの最初の押し下げのときに、リップ２９が溝２５から開放されてしまって、このことが注射器の使用を妨げるようになることを防止することにある。
【００１７】
次の動作は、針１６を経て内側バレル１２の中に薬剤を吸い込むことである。針１６は薬剤の中に配置され、プランジャは、図３に示される位置まで外方に引かれる。内側バレルは、依然として、外側バレルに対してしっかりと固定されたままである。
【００１８】
次の動作は、薬剤を放出するためにプランジャを押し下げることである。図４に示すように、プランジャ作動ロッド２２のこの作動で、プランジャは、内側バレル１２の端部まで完全に移動する。換言すれば、リミットキャッチ２３は、この第２の押し下げでは、作動ロッド２２の内方への動きを制限しない。第１の実施形態に関して、図４（ａ）に明らかであるように、プランジャ２１がその内方の最大の端に達するときには、ロッド２２上の複数の突起３０が、複数のフレキシブルアーム２８に係合し、アーム２８上のリップ２９を環状溝２５から外にカム作動する。この時点で、押付力がプランジャロッド２２から開放されるとすぐに、スプリング２０は、２つのバレルの間の相対的な動きを停止するものが何もないことから、内側バレルを外側バレルの第２端部１９の方に向けて付勢する。もちろん、この動きは、利用者がプランジャ作動ロッド２２への押付力を開放することに依存している。
【００１９】
外側バレルに対する内側バレルの動きは、内側バレルが図５に示すような位置を呈するまで続き、その位置では、それぞれの可撓性アーム２８のリップ２９が第２の環状溝２６の中に位置している。この位置において、針１６は、外側バレル１１内に完全に引き込まれる。
【００２０】
図５に明らかなように、プランジャ作動ロッド２２を押し下げて、内側バレルを環状溝２６から外すことを引き起こすことは可能であり、それによって、針は、外側バレルの第１端部１８の外側に動かされ得る。しかしながら、そのような動作は、内側バレルより詳しくは複数のリップ２９を環状溝２５内にラッチすることが可能でないので、注射器が再利用されることを可能にするものではない。これは、スプリング２０が内側バレルを突起３０または隆起３３に対して保持しており、それによって、複数のリップ２９が溝２５から離れたカム作動した位置のままになっているからである。
【００２１】
作動ロッド２２のノッチ３５は、外側バレルから突出している作動ロッドの一部分を、プランジャのさらなる押し下げを防止する手段として、折ることを可能にするものではあるが、この動作が実行されない場合であっても、注射器を再利用することは可能でない。
【００２２】
図７〜図１１の実施形態に示される注射器の動作は、内側バレル１２のチャンバにおける薬剤を放出するための作動ロッド２２の押し下げが、第１の環状溝２５から複数のリップ２９を再びカム作動させるために、環状スカート３２の隆起３３をラッチ部材３１と係合することを引き起こすという点で、非常に似ている（図８（ａ）を参照）。図１０および１０（ａ）により明らかに示されているように、スプリング２０は再び、外側バレルの第２端部１９の方に向けて内側バレルを動かすことを引き起こし、それによって、複数のリップ２９は外側バレル１１の第２の環状溝２６の中に係合する。図９および図９（ａ）は、２つの位置の間を通過している内側バレルの位置を示している。
【００２３】
図１０および図１０（ａ）から明らかなように、一端内側バレルが第２の環状溝２６内にラッチされると、プランジャ作動ロッド２２を押し下げることによってそのラッチを取り外すことはできない。なぜなら、環状のスカート３２さらに詳しくはその上の隆起３３とラッチ部材３１との間の係合は、ロッド２２の押し下げが溝からラッチ部材３１をカム作動させることがないようなものだからである。したがって、プランジャのさらなる作動あるいは外側バレルに対する内側バレルの動きが防止され、針は外側バレル１１の範囲内に安全に引き込まれている。作動ロッド２２のノッチ３５は、外側バレルから突出している作動ロッドの一部分を折ることを可能にするものではあるけれども、そのような動作はほとんど必要ではない。
【００２４】
上述した実施形態に対する改変において、内側バレル上のいくつかのフレキシブルアーム２８は、先に述べたそれらアームとは異なっている。改変されたフレキシブルアーム２８の断面が図１４に示されている。改変された断面を有しているいくつかのアームと同じく、内側バレル１２上のアーム２８の総数は増加されている。好ましくは、少なくとも２つの改変されたアームを備え、合計で少なくとも４つのそのようなアームを有している。改変された複数のアーム２８は、図１〜図６に示される断面と同じ断面を有する他の複数のアームよりも短く、図７〜図１１の実施形態におけるような薄いフィンガーである。アームの総数が４個の場合においては、それらは、２個の長いアームが正反対に向かい合い、２個の短いアームも同様にして、バレル１２の周りに均等に間隔をあけられている。
【００２５】
複数の長い方のアームは、最初のうちは環状溝２５内にラッチしており、プランジャの第１の十分な押し下げで、上述したようにして環状溝から開放される。複数の短い方のアーム２８が、場合によっては、突起３０またはスカート３２によって係合されないことはいうまでもない。そのような係合は、複数の長い方のアームによってなされる。プランジャが複数のアーム２８のうち短い方のアームを引き込むとき、その短いアームは、溝２５に位置せず、第２端部１９の方に向けて移動する際に溝２５の上を通過しなければならない。これは、溝２５の第２端部１９に近い側のエッジ上でカム作動する斜めの表面３９により達成される。換言すれば、プランジャがスプリング２０の付勢の下で引き込むとき、短い方のアーム２８は、注射器の軸線に向けて内方に歪んで、それら短い方のアームが溝２５の上をすべるように移動する。
【００２６】
第２端部１９で、複数の長い方のアーム２８は、それら長い方のアームがスプリング２０からの付勢の下でプランジャ突起３０あるいはスカート３２と係合していることから、溝２６から離れて保持されている。複数の短いフィンガーは、そのような影響の下になく、内側バレルが第２端部に向かって最も遠い位置に達するときに、外方に跳ね返って溝２６と係合することが可能となる。一旦溝２６内に係合すると、複数の短い方のアームの直角に曲げられたリップ４０は、しっかりと溝２６内に位置する。したがって、内側バレルは、第１端部１８の方に向けて外側バレル内で移動することがいつも防止される。したがって、針は、外側バレルの範囲内に永続的に引き込められ、注射器を再利用することができなくなる。
【００２７】
内側バレルと外側バレルとの間の新規なラッチ装置と、リミットキャッチ２３との組合せによって、極めて信頼性が高く、製作が比較的安価で、注射器のさらなる使用ができないことを確実にするためにいかなる積極的な動作も利用者の側にされることを必要としない安全注射器が提供されることが明らかなものとなる。
【００２８】
明らかに、本発明の精神と範囲から逸脱することなく、上述した実施形態に多くの改変を加えることはもちろんできる。当業者は、外側バレルに対する動きから内側バレルをラッチしたりラッチを解除したりするための代替メカニズムを直ちに予見するであろう。プランジャの種々の装置もまた、ラッチ機構との係合を外す目的のために予見されるであろう。
【図面の簡単な説明】
【００２９】
【図１】図１は、本発明の一実施形態に係る注射器の、初期位置の状態を示す側断面図であり、図１（ａ）は、図１の円「Ａ」で示される部分の拡大図である。
【図２】図２は、動作の第１ステージにおける注射器を示しており、図２（ａ）は、図２の円「Ｂ」で示される部分の拡大図である。
【図３】図３は、動作の第２ステージにおける注射器を示す図である。
【図４】図４は、動作の第３ステージにおける注射器を示しており、図４（ａ）は、図４の円「Ｃ」で示される部分の拡大図である。
【図５】図５は、動作の第４ステージにおける注射器を示しており、図５（ａ）は、図５の円「Ｄ」で示される部分の拡大図である。
【図６】図６は、図１〜５の注射器の分解斜視図である。
【図７】図７は、本発明の別の実施形態の初期位置の状態を示し、図７（ａ）は、図７の円「Ｅ」で示される部分の拡大図である。
【図８】図８は、動作の第１ステージにおける注射器を示しており、図８（ａ）は、図８の円「Ｆ」で示される部分の拡大図である。
【図９】図９は、動作の第４ステージにおける注射器を示しており、図９（ａ）は、図９の円「Ｇ」で示される部分の拡大図である。
【図１０】図１０は、動作の第５ステージにおける注射器を示しており、図１０（ａ）は、図１０の円「Ｈ」で示される部分の拡大図である。
【図１１】図１１は、図７〜１０の注射器の分解斜視図である。
【図１２】図１２は、具体的ないずれの実施形態にも示される注射器の側面図である。
【図１３】図１３は、図１２と同様であるが、軸線について９０度回転した注射器を示す図である。
【図１４】図１４は、説明した複数の実施形態に用いられる変更されたフレキシブルアームの部分の拡大断面図である。
【国際公開パンフレット】
2004528075.tif 000003
2004528075.tif 000004
2004528075.tif 000005
2004528075.tif 000006
2004528075.tif 000007
2004528075.tif 000008
2004528075.tif 000009
2004528075.tif 000010
2004528075.tif 000011
2004528075.tif 000012
2004528075.tif 000013
2004528075.tif 000014
2004528075.tif 000015
2004528075.tif 000016
2004528075.tif 000017
2004528075.tif 000018
2004528075.tif 000019
2004528075.tif 000020
2004528075.tif 000021
2004528075.tif 000022
2004528075.tif 000023
2004528075.tif 000024
2004528075.tif 000025
【国際調査報告】
2004528075.tif 000026
2004528075.tif 000027